(57)【特許請求の範囲】
【請求項１】
便器本体に設けられた便鉢の下流側に連結された便器排水路の排出口と、前記便器本体が設置されるトイレルーム内に向けて開口する排水管の流入口とを連結する排水連結具であって、
前記排出口に接続する上流側開口部と、
この上流側開口部から下方に延びた下降流路を形成する下降管部と、
前記下降流路の下部から横方向に延びた横引き流路を形成する横引き管部と、
この横引き管部の下流端に設けられ、前記流入口に接続する下流側開口部とを備え、
前記下降流路の下流端部と前記横引き流路の上流端部とにより流路方向が前記横引き流路の方向に変化するコーナー部が形成され、このコーナー部の出口側である前記横引き流路の左右方向の流路幅は、前記コーナー部の入口側である前記下降流路の左右方向の流路幅よりも大きく、
前記下降流路は、上流端部から前記コーナー部の出口側の前記横引き流路にかけて左右方向の流路幅が徐々に拡大していることを特徴とする排水連結具。
【請求項２】
前記下降流路は、上流端部から下方に向けて、流路方向に直交して対向する前面側の内壁と後面側の内壁とが近づきつつ、前方又は後方へ傾斜していることを特徴とする請求項１記載の排水連結具。
【請求項３】
前記下降管部は、上端部に形成され、前記上流側開口部より流路面積を縮小させた絞り部を有していることを特徴とする請求項１又は２記載の排水連結具。
【発明の詳細な説明】
【技術分野】
【０００１】
本発明は排水連結具に関する。
【背景技術】
【０００２】
特許文献１の図１に従来の排水連結具が開示されている。この排水連結具は、便器本体に設けられた便鉢の下流側に連結された便器排水路の排出口と、便器本体が設置されるトイレルーム内に向けて開口する排水管の流入口とを連結している。この排水連結具は、便器排水路の排出口に接続される上流側開口部と、この上流側開口部から下方に延びた下降流路を形成する下降管部と、下降流路の下部から前方に延びた横引き流路を形成する横引き管部と、この横引き管部の下流端に設けられ、排水管の流入口に接続される下流側開口部とを備えている。
【０００３】
この排水連結具では、前後方向に離れた便器排水路の排出口と排水管の流入口とを連結することができる。また、便器排水路の排出口と排水管の流入口との距離に応じて横引き管部を切断することができるため、便器排水路の排出口の位置が変化しても便器排水路の排出口と排水管の流入口とを連結することができる。
【先行技術文献】
【特許文献】
【０００４】
【特許文献１】特許第２８３０４７６号公報
【発明の概要】
【発明が解決しようとする課題】
【０００５】
しかし、特許文献１の排水連結具では、流路方向が横引き流路の方向に変化するコーナー部の内側が鋭角に曲がっている。このため、下降流路を流下した排水の流れが横引き流路の上流端部の上壁から剥がれて渦流が形成される。これにより、横引き流路の上流端部の上部に淀み部が形成される。このため、横引き流路の上流端部において排水が良好に流下するのは淀み部の下方のみになる。つまり、横引き流路の上流端部に淀み部が形成されることにより排水連結具の排出流量が少なくなるため、便器本体から排出される排水の排出性能が低下する虞がある。
【０００６】
本発明は、上記従来の実情に鑑みてなされたものであって、便器本体からの排水を良好に排出することができる排水連結具を提供することを解決すべき課題としている。
【課題を解決するための手段】
【０００７】
本発明の排水連結具は、便器本体に設けられた便鉢の下流側に連結された便器排水路の排出口と、前記便器本体が設置されるトイレルームに向けて開口する排水管の流入口とを連結する排水連結具であって、
前記排出口に接続する上流側開口部と、
この上流側開口部から下方に延びた下降流路を形成する下降管部と、
前記下降流路の下部から横方向に延びた横引き流路を形成する横引き管部と、
この横引き管部の下流端に設けられ、前記流入口に接続する下流側開口部とを備え、
前記下降流路の下流端部と前記横引き流路の上流端部とにより流路方向が前記横引き流路の方向に変化するコーナー部が形成され、このコーナー部の出口側である前記横引き流路の左右方向の流路幅は、前記コーナー部の入口側である前記下降流路の左右方向の流路幅よりも大きく、
前記下降流路は、上流端部から前記コーナー部の出口側の前記横引き流路にかけて左右方向の流路幅が徐々に拡大していることを特徴とする。
【０００８】
この排水連結具では、上流側開口部から流入した排水が下降流路及び横引き流路を流下する際、コーナー部の出口側に淀み部が形成される。つまり、流路方向が横引き流路の方向に変化するコーナー部の出口側において、排水の流れが横引き流路の上壁から剥がれて渦流が形成されて淀み部が形成される。コーナー部の出口側の横引き流路の左右方向の流路幅をコーナー部の入口側の下降流路の左右方向の流路幅よりも大きくすることにより、淀み部が形成される領域において横引き流路の流路面積が拡大するため、淀み部が形成されても排水を良好に流下させることができる。このため、排水連結具の単位時間当たりの排出流量の減少を防止することができる。
【０００９】
したがって、本発明の排水連結具は、便器本体からの排水を良好に排出することができる。
【００１０】
前記下降流路は、上流端部から下方に向けて、流路方向に直交して対向する前面側の内壁と後面側の内壁とが近づきつつ、前方又は後方へ傾斜し得る。この場合、下降流路の前面側又は後面側の一方の内壁に沿って流下した排水が他方の内壁に向けて飛散する。これにより、水膜が形成され、この水膜より上流側の下降流路及び便器排水路に排水を十分に満たすことができる。このため、下降流路及び便器排水路にサイホン作用を良好に発生させることができる。よって、便器本体からの排水をサイホン作用を利用してさらに良好に排出することができる。
【００１１】
前記下降流路は、上流端部から前記コーナー部の出口側の前記横引き流路にかけて左右方向の流路幅が徐々に拡大している。この場合、下降流路の上流端部からコーナー部の出口側の横引き流路において左右方向の流路幅が急激に拡大することを防止することができる。このため、左右方向の流路幅が急激に拡大することによる下降流路及び横引き流路における流れの乱れを抑制することができる。よって、下降流路及び横引き流路において排水を良好に流下させることができる。
【００１２】
また、コーナー部の出口側の横引き流路の上流端部の左右内壁に滑らかに連続するように左右方向の流路幅を徐々に拡大させると、横引き流路における流れをよりスムーズにすることができ、排水を良好に流下させることができる。
【００１３】
また、下降流路において、流路方向に直交して対向する前面側の内壁と後面側の内壁とが近づきつつ、下方に向けて前方又は後方へ傾斜することにより、前後方向の流路幅が徐々に縮小しても左右方向の流路幅が徐々に拡大するため、下降流路における流路断面積の減少を抑制することができる。このため、下降流路において排水を良好に流下させることができる。
【００１４】
前記下降管部は、上端部に形成され、前記上流側開口部より流路面積を縮小させた絞り部を有し得る。この場合、絞り部の上面に上流側開口部から流下した排水を衝突させて飛散させることにより、水膜を形成することができる。これにより、絞り部より上流側の便器排水路に排水を十分に満たすことができ、早期にサイホン作用を発生させることができる。このため、便器本体からの排水をサイホン作用を利用して良好に排出することができる。
【００１５】
また、絞り部によって生じたサイホン作用は、下降流路の中間部において、下降流路の前面側又は後面側の一方の内壁に排水が衝突して他方の内壁に向けて飛散することにより水膜が形成されると、その水膜より上流側の下降流路にも排水を充満させることができるため、さらに強力なサイホン作用に成長させることができる。このため、便器本体からの排水をさらに良好に排出することができる。
【図面の簡単な説明】
【００１６】
【図１】参考例の排水連結具を備えた水洗式便器の断面図である。
【図２】参考例の排水連結具の要部断面図である。
【図３】図２の矢視Ａ−Ａ断面図である。
【図４】図３の矢視Ｂ−Ｂ断面図である。
【図５】参考例の排水連結具の横引き管部を切断して利用した場合を示す断面図である。
【図６】実施例１の排水連結具の下降流路を示す左右方向の断面図である。
【図７】図６の矢視Ｄ−Ｄ断面図である。
【図８】実施例２の排水連結具の断面図である。
【図９】実施例３の排水連結具を備えた水洗式便器の断面図である。
【図１０】実施例３の排水連結具の断面図である。
【発明を実施するための形態】
【００１７】
本発明の排水連結具を具体化した実施例１〜３、及び参考例を図面を参照しつつ説明する。
【００１８】
＜参考例＞
参考例の排水連結具１０は、図１及び図２に示すように、便器本体１に設けられた便鉢２の下流側に連結された便器排水路３の排出口３Ａと、便器本体１が設置されるトイレルームＲ内に向けて開口する排水管５の流入口５Ａとを連結することができる。便器排水路３の排出口３Ａは下方に向いて開口している。排水管５の流入口５Ａは、便器排水路３の排出口３Ａの下方から前方へ離れた位置に床面Ｆを貫設した貫通孔Ｈ内から上方に向いて開口している。
【００１９】
排水連結具１０は、便器排水路３の排出口３Ａに接続する上流側開口部１１と、この上流側開口部１１から下方に延びた下降流路Ｌ１を形成する下降管部１２と、下降流路Ｌ１の下部から前方（横方向）に延びた横引き流路Ｌ２を形成する横引き管部１３と、横引き管部１３の下流端に設けられ、排水管５の流入口５Ａに接続する下流側開口部１４とを備えている。
【００２０】
上流側開口部１１は円筒状であり、外周面の上下方向の中央部には外周面を一周する凸部１１Ａが形成されている。凸部１１Ａは、下方に向けて外側に広がる傾斜面と、この傾斜面の下端から鋭角に内側へ折れ曲がり上流側開口部１１の外周面に直交する水平面とを有している。
【００２１】
上流側開口部１１の外周面にはパッキン２０が嵌められている。このパッキン２０は、円筒状の胴部２０Ａと、胴部２０Ａの上端部から内側に延びる円環状の上面部２０Ｂとを有している。パッキン２０の胴部２０Ａの上下方向の中央部には、内側から外側に膨らんだ凹部２０Ｃが形成されている。凹部２０Ｃには上流側開口部１１の外周面に形成された凸部１１Ａが収納され、パッキン２０が上流側開口部１１の外周面から抜けてしまうことを防止している。また、パッキン２０の下部の外周面には締め付けベルト２１が締着され、パッキン２０が上流側開口部１１の外周面から抜けてしまうことを防止している。
【００２２】
パッキン２０の上面部２０Ｂの中央開口部には、上方から便器本体１の便器排水路３を形成する便器排出管４の端部が挿入される。この際、パッキン２０の上面部２０Ｂの中央開口部は弾性変形して便器排水管４の外周面に摺接する。これにより、便器排出管４と排水連結具１０とは水密状態で接続される。
【００２３】
下降管部１２は上端部から外方に延びて形成された円環状の絞り部１５を有している。この絞り部１５の外周縁部は上流側開口部１１の下端部に連続している。このように、絞り部１５の中央開口部１５Ａにおける流路面積は上流側開口部１１の流路面積より縮小している。このため、便器排水路３の排出口３Ａから排出され、上流側開口部１１から流下する排水は、絞り部１５の上面に衝突して飛散する。これにより、水膜が形成され、絞り部１５より上流側の上流側開口部１１及び便器排水路３に排水を十分に満たすことができ、早期にサイホン作用を発生させることができる。このため、便器本体１からの排水をサイホン作用を利用して良好に排出することができる。
【００２４】
下降流路Ｌ１は、上流端部１２Ａから下方に向けて、流路方向に直交して対向する前面側の内壁と後面側の内壁とが近づいている。また、下降流路Ｌ１は上流端部１２Ａから中間部１２Ｂにかけて下方に向けて後方へ傾斜している。このため、中間部１２Ｂにおいて、上流側開口部１１から前面側の内壁に沿って流下した排水が後方側の内壁に向けて飛散する。これにより、中間部１２Ｂに水膜が形成され、この水膜より上流側の下降流路Ｌ１に排水を充満させることができる。このため、下降管部１２の上端部に形成された絞り部１５によってサイホン作用を早期に発生させつつ、この中間部１２Ｂにおいてはサイホン作用をさらに強力なサイホン作用に成長させることができる。
【００２５】
また、下降流路Ｌ１は、図３に示すように、左右方向の流路幅が上流端部１２Ａから中間部１２Ｂに向かって徐々に拡大している。このため、前後方向の流路幅が減少しても下降流路Ｌ１の流路面積の減少を抑制している。よって、排水連結具１０の排水性能を良好に維持することができる。
【００２６】
図１〜図４に示すように、下降流路Ｌ１の下流端部と横引き流路Ｌ２の上流端部とにより流路方向が横引き流路Ｌ２の方向に変化するコーナー部Ｃが形成されている。コーナー部Ｃの出口側である横引き流路Ｌ２の左右流路幅Ｘ２は、コーナー部Ｃの入口側である下降流路Ｌ２の左右方向の流路幅Ｘ１より大きく形成されている。
【００２７】
上流側開口部１１から流入した排水が下降流路Ｌ１及び横引き流路Ｌ２を流下する際、コーナー部Ｃの出口側に淀み部Ｙが形成される。つまり、流路方向が横引き流路Ｌ２の方向に変化するコーナー部Ｃの出口側において、排水の流れが横引き流路Ｌ２の上壁から剥がれて渦流が形成されて淀み部Ｙが形成される。コーナー部Ｃの出口側の横引き流路Ｌ２の左右方向の流路幅Ｘ２をコーナー部Ｃの入口側の下降流路Ｌ１の左右方向の流路幅Ｘ１よりも大きくすることにより、淀み部Ｙが形成される領域において横引き流路Ｌ２の流路面積が拡大するため、淀み部Ｙが形成されても排水を良好に流下させることができる。このため、排水連結具１０の単位時間当たりの排出流量の減少を防止することができる。
【００２８】
したがって、参考例の排水連結具１０は、便器本体１からの排水を良好に排出することができる。
【００２９】
横引き流路Ｌ２を形成する横引き管部１３は、前端部に連結され、横引き流路Ｌ２の向きを下方へ向けて変化させる前端部材１６を有している。前端部材１６の下方には、下流側開口部１４を形成した接続部材１７が前端部材１６と接着固定されている。下流側開口部１４は、配管５の流入口５Ａ内に挿入され、下流側開口部１４の外周面と流入口５Ａの内周面とが接着される。このようにして、排水連結具１０と排水管５とは水密状態で接続される。
【００３０】
横引き管部１３は、図５に示すように、前端側の任意の位置を切断可能である。このため、上方に向いて開口する排水管５の流入口５Ａの位置の変化、つまり便器排水路３の排出口３Ａと排水管５の流入口５Ａとの距離の変化に応じて、横引き管部１３の前端側を切断し、便器排水路３の排出口３Ａと排水管５の流入口５Ａとを連結することができる。
【００３１】
＜実施例１＞
実施例１の排水連結具１１０は、図６及び図７に示すように、下降流路Ｌ１の左右方向の流路幅が上流端部１２Ａからコーナー部Ｃの出口側の横引き流路Ｌ２にかけて徐々に拡大し、左右内壁１２Ｃがコーナー部Ｃの出口側の横引き流路Ｌ２の上流端部の左右内壁１３Ａに滑らかに連続している。他の構成は、参考例と同様であり、同一の構成については同一の符号を付し詳細な説明を省略する。
【００３２】
この排水連結具１１０では、下降流路Ｌ１の上流端部１２Ａからコーナー部Ｃの出口側の横引き流路Ｌ２において左右方向の流路幅が急激に拡大することを防止することができる。このため、左右方向の流路幅が急激に拡大することによる下降流路Ｌ１及び横引き流路Ｌ２における流れの乱れを抑制することができる。よって、横引き流路Ｌ２において排水を良好に流下させることができる。
【００３３】
また、下降流路Ｌ１の左右内壁１２Ｃがコーナー部Ｃの出口側の横引き流路Ｌ２の上流端部の左右内壁１３Ａに滑らかに連続しているため、横引き流路Ｌ２における流れをよりスムーズにすることができ、排水を良好に流下させることができる。
【００３４】
また、コーナー部Ｃの出口側の横引き流路Ｌ２の左右方向の流路幅Ｘ２をコーナー部Ｃの入口側の下降流路の左右方向の流路幅Ｘ１より大きくすることにより、淀み部Ｙが形成される領域において横引き流路Ｌ２の流路面積が拡大するため、淀み部Ｙが形成されても排水を良好に流下させることができる。このため、排水連結具１１０の単位時間当たりの排出流量の減少を防止することができる。
【００３５】
したがって、実施例１の排水連結具１１０も便器本体１からの排水を良好に排出することができる。
【００３６】
＜実施例２＞
実施例２の排水連結具２１０は、図８に示すように、横引き流路Ｌ２がコーナー部Ｃの出口Ｚ側からすぐに下方に向けて曲げられている。この横引き流路Ｌ２を形成する横引き管部２１３の下流端には下方に向けて開口し、排水管５の流入口５Ａに接続する下流側開口部２１４が設けられている。この排水連結具２１０は、実施例１の排水連結具１１０と同様に、下降流路Ｌ１の左右方向の流路幅が上流端部１２Ａからコーナー部Ｃの出口Ｚ側の横引き流路Ｌ２にかけて徐々に拡大し、横引き流路Ｌ２の上流端部の左右内壁に滑らかに連続している。他の構成は、参考例等と同様であり、同一の構成については同一の符号を付し詳細な説明を省略する。
【００３７】
この排水連結具２１０では、コーナー部Ｃの出口側の横引き流路Ｌ２の左右方向の流路幅をコーナー部Ｃの入口側の下降流路Ｌ１の左右方向の流路幅より大きくすることにより、淀み部Ｙが形成される領域において横引き流路Ｌ２の流路面積が拡大するため、淀み部Ｙが形成されても排水を良好に流下させることができる。このため、排水連結具２１０の単位時間当たりの排出流量の減少を防止することができる。
【００３８】
したがって、実施例２の排水連結具２１０も便器本体１からの排水を良好に排出することができる。
【００３９】
＜実施例３＞
実施例３の排水連結具３１０は、図９及び図１０に示すように、便器排水路３の排出口３Ａと、トイレルームＲの壁面Ｗから横方向に引き出された排水管３５の流入口３５Ａとを連結することができる。この排水連結具３１０は、便器排水路３の排出口３Ａに接続する上流側開口部１１と、この上流側開口部１１から下方に延びた下降流路Ｌ１を形成する下降管部３１２と、下降流路Ｌ１の下部から後方（横方向）に延び、下流側に向けて上方向に傾斜した横引き流路Ｌ２を形成する横引き管部３１３と、横引き管部３１３の下流端に設けられ、後方に向けて開口する下流側開口部３１４とを備えている。下流側開口部３１４は、排水管３５の流入口３５Ａ内にパッキンＰを介して挿入される。このようにして、排水連結具３１４と排水管３５とは水密状態で接続される。他の構成は、参考例等と同様であり、同一の構成については同一の符号を付し詳細な説明を省略する。
【００４０】
下降流路Ｌ１は上流端部１２Ａから下方に向けて、流路方向に直交して対向する前面側の内壁と後面側の内壁とが近づいている。また、下降流路Ｌ１は上流端部１２Ａから中間部１２Ｂにかけて下方に向けて前方へ傾斜している。このため、中間部１２Ｂにおいて、上流側開口部１１から後面側の内壁に沿って流下した排水が前面側の内壁に向けて飛散する。これにより、中間部１２Ｂに水膜が形成され、この水膜より上流側の下降流路Ｌ１に排水を充満させることができる。このため、下降管部３１２の上端部に形成された絞り部１５によってサイホン作用を早期に発生させつつ、この中間部１２Ｂにおいてはサイホン作用をさらに強力なサイホン作用に成長させることができる。
【００４１】
また、下降流路Ｌ１の左右方向の流路幅が上流端部１２Ａからコーナー部Ｃの出口側の横引き流路Ｌ２にかけて徐々に拡大し（Ｘ０＜Ｘ１＜Ｘ２）、下降流路Ｌ１の左右内壁がコーナー部Ｃの出口側の横引き流路Ｌ２の上流端部の左右内壁に滑らかに連続している。このため、横引き流路Ｌ２における流れをスムーズにすることができ、排水を良好に流下させることができる。
【００４２】
また、下降流路Ｌ１において前後方向の流路幅が徐々に減少しても左右方向の流路幅が徐々に拡大するため、下降流路Ｌ１の流路面積を所定面積以上に確保することができる。このため、排水連結具３１０の排水性能を良好に維持することができる。
【００４３】
また、この排水連結具３１０では、コーナー部Ｃの出口側の横引き流路Ｌ２の左右方向の流路幅Ｘ２をコーナー部Ｃの入口側の下降流路Ｌ１の左右方向の流路幅Ｘ１より大きくすることにより、淀み部Ｙが形成される領域において横引き流路Ｌ２の流路面積が拡大するため、淀み部Ｙが形成されても排水を良好に流下させることができる。特に、この排水連結具３１０は、横引き流路Ｌ２が下流側に向けて上方に傾斜しているため、コーナー部Ｃが鋭角になり、淀み部Ｙが実施例１及び２に比べて大きなものとなる。このため、横引き流路Ｌ２の流路面積を拡大することは、排水を良好に流下させる効果が大きくなる。このように、排水連結具３１０の単位時間当たりの排出流量の減少を防止することができる。
【００４４】
したがって、実施例３の排水連結具３１０も便器本体１からの排水を良好に排出することができる。
【００４５】
本発明は上記記述及び図面によって説明した実施例に限定されるものではなく、例えば次のような実施例も本発明の技術的範囲に含まれる。
（１）実施例１〜３では、下降管部の上端部に絞り部を形成したが、下降管部の上端部に絞り部を形成しなくてもよい。
（２）実施例１〜３では、下降流路において、流路方向に直交して対向する前面側の内壁と後面側の内壁とを近づけているが、下降流路の前面側の内壁と後面側の内壁とを近づけなくてもよい。
（３）実施例１〜３では、下降流路を下方に向けて前方又は後方へ傾斜させているが、下降流路を傾斜させず垂直下方に延ばしてもよい。
（４）実施例１〜３では、下降流路の左右方向の流路幅を滑らかな湾曲面によって拡大したが、段階的に拡大してもよい。
（５）実施例３では、横引き流路が下流側に向けて上方向に傾斜していたが、横引き流路が下流側へ向けて水平方向又は下方向に傾斜していてもよい。
【符号の説明】
【００４６】
１…便器本体
２…便鉢
３…便器排水路
３Ａ…排出口
５、３５…排水管
５Ａ、３５Ａ…流入口
１０、１１０、２１０、３１０…排水連結具
１１…上流側開口部
１２、３１２…下降管部
１２Ａ…上流端部
１２Ｂ…中間部
１３、２１３、３１３…横引き管部
１４、２１４、３１４…下流側開口部
１５…絞り部
Ｃ…コーナー部
Ｌ１…下降流路
Ｌ２…横引き流路
Ｒ…トイレルーム
【図１】
0005624337.tif 000002
【図２】
0005624337.tif 000003
【図３】
0005624337.tif 000004
【図４】
0005624337.tif 000005
【図５】
0005624337.tif 000006
【図６】
0005624337.tif 000007
【図７】
0005624337.tif 000008
【図８】
0005624337.tif 000009
【図９】
0005624337.tif 000010
【図１０】
0005624337.tif 000011